(57)【要約】フィット感を高めた人間工学的なバックパックを提供する。バックパックは、収納部、第１の左肩及び右肩ストラップ、及び第２の左肩及び右肩ストラップを備える。第１肩ストラップを第２肩ストラップに連結し、利用者がバックパックを肩に着用できるようにする。収納部及び第１及び第２の肩ストラップの寸法と配置は、フィット感と快適さを最適化するよう選択する。【選択図】図１
2013540506.tif 000002
【特許請求の範囲】
【請求項１】
人間工学的なバックパックにおいて、
１個又は複数の物入れを有する収納部であって、前記収納部は、頂部サイド、底部サイド、左側サイド、及び右側サイドを有し、利用者が前記バックパックを着用するとき前記頂部サイドは前記底部サイドよりも利用者の頭に近く、前記底部サイドは前記頂部サイドよりも利用者の脚に近く、前記左側サイドは前記右側サイドよりも利用者の左肩に近く、前記右側サイドは前記左側サイドよりも利用者の右肩に近い、該収納部と、
第２左肩ストラップであり、その第１端部で前記収納部の前記底部サイドかつ前記左側サイドに取り付ける、該第２左肩ストラップと、
第２右肩ストラップであり、その第１端部で前記収納部の前記底部サイドかつ前記右側サイドに取り付ける、該第２右肩ストラップと、
第１左肩ストラップであり、その第１端部で第１連結領域に沿って前記収納部の前記頂部サイドかつ前記左側サイドに連結し、またその第２端部で前記第２左肩ストラップに連結する、該第１左肩ストラップと、
第１右肩ストラップであり、その第１端部で第２連結領域に沿って前記収納部の前記頂部サイドかつ前記右側サイドに連結し、またその第２端部で前記第２右肩ストラップに連結する、該第１右肩ストラップと、
を備え、
前記第１及び第２の連結領域それぞれは、前記バックパックの頂部から底部まで延びて前記バックパックをほぼ垂直に２等分する垂直２等分線からほぼ等距離離れる位置に配置し、また
前記第１及び第２の連結領域は、前記バックパックの前記頂部サイドを横切って延びるほぼ水平な直線とほぼ同一線上にあり、
前記第１の左肩及び右肩ストラップは、前記第１及び第２の連結領域に対して、前記バックパックの前記頂部サイドを横切って延びる前記ほぼ水平な直線に対してほぼ同一角度をなすよう連結し、これにより前記第１の左肩及び右肩ストラップを前記第２の左肩及び右肩ストラップに連結しないで持ち上げるとき、前記第１の左肩及び右肩ストラップが上方にかつ前記利用者の体から離れる方向に延び、また前記利用者の体を通って延びる垂直平面とほぼ平行となるようにし、
前記第１左肩ストラップ、前記第１右肩ストラップ、及び前記バックパックの前記頂部サイドを横切って延びる前記ほぼ水平な直線は、全て半径約８〜１２センチメートルの第１円に正接し、
前記第１円は前記利用者の体を通って延びる前記垂直平面とほぼ平行であり、
前記第１左肩ストラップと前記第１右肩ストラップは、各ストラップ長の約１／３〜２／３の間の長さの位置で、ほぼ垂直に２等分する前記垂直２等分線から離れる方向に湾曲し、
その湾曲部分は、半径約７〜１１センチメートルの第２円の円弧の湾曲にほぼ等しく、前記円弧は約２５〜４５°の間の角度にわたる、
人間工学的なバックパック。
【請求項２】
請求項１に記載の人間工学的なバックパックにおいて、前記第１円の前記半径は約１０センチメートルである、人間工学的なバックパック。
【請求項３】
請求項１に記載の人間工学的なバックパックにおいて、前記第２円の前記半径は約９．５センチメートルである、人間工学的なバックパック。
【請求項４】
請求項１に記載の人間工学的なバックパックにおいて、前記第１肩ストラップは前記第２肩ストラップに対して着脱可能に連結する、人間工学的なバックパック。
【請求項５】
請求項１に記載の人間工学的なバックパックにおいて、前記第１左肩ストラップ及び前記第１右肩ストラップは、１個又は複数個の材料を使って、相互に、そして前記第１及び第２の連結領域に隣接して前記収納部と連結し、それにより前記１個又は複数個の材料は、前記第１左肩ストラップ及び前記第１右肩ストラップの間に、前記第１円の湾曲とほぼ同一の湾曲を形成する、人間工学的なバックパック。
【請求項６】
請求項１に記載の人間工学的なバックパックにおいて、前記第２左肩ストラップ及び前記第２右肩ストラップは、それぞれ前記収納部に対して、垂線から測って約０〜４５°の間の角度をなすよう取り付ける、人間工学的なバックパック。
【請求項７】
請求項１に記載の人間工学的なバックパックにおいて、前記第２肩ストラップの前記第１端部は、前記バックパックの前記頂部サイドを横切って延びる前記ほぼ水平な直線から垂直方向に約３５センチメートルという望ましい最小距離において収納部に取り付ける、人間工学的なバックパック。
【請求項８】
請求項１に記載の人間工学的なバックパックにおいて、前記収納部の前記底部サイドの限界範囲は、前記バックパックの前記頂部サイドを横切って延びる前記ほぼ水平な直線から垂直方向に約５５センチメートルである、人間工学的なバックパック。
【請求項９】
請求項１に記載の人間工学的なバックパックにおいて、前記バックパックの前記頂部サイドを横切って延びるほぼ水平な直線と、前記第１左肩ストラップの前記第２端部の中間ポイント及び前記第１右肩ストラップの前記第２端部の中間ポイントの双方との垂直方向距離は、約２０〜３５センチメートルの間である、人間工学的なバックパック。
【請求項１０】
請求項９に記載の人間工学的なバックパックにおいて、前記垂直方向距離は、約２８センチメートルである、人間工学的なバックパック。
【請求項１１】
請求項１に記載の人間工学的なバックパックにおいて、前記第１左肩ストラップの前記第２端部の前記中間ポイントと、前記第１右肩ストラップの前記第２端部の前記中間ポイントとの間の水平方向距離は、約６５〜８５センチメートルの間である、人間工学的なバックパック。
【請求項１２】
請求項１１に記載の人間工学的なバックパックにおいて、前記水平方向距離は、約７５センチメートルである、人間工学的なバックパック。
【請求項１３】
人間工学的なバックパックにおいて、
１個又は複数の物入れを有する収納部であって、前記収納部は、頂部サイド、底部サイド、左側サイド、及び右側サイドを有し、利用者が前記バックパックを着用するとき前記頂部サイドは前記底部サイドよりも利用者の頭に近く、前記底部サイドは前記頂部サイドよりも利用者の脚に近く、前記左側サイドは前記右側サイドよりも利用者の左肩に近く、前記右側サイドは前記左側サイドよりも利用者の右肩に近い、該収納部と、
第２左肩ストラップであり、その第１端部で前記収納部の前記底部サイドかつ前記左側サイドに取り付ける、該第２左肩ストラップと、
第２右肩ストラップであり、その第１端部で前記収納部の前記底部サイドかつ前記右側サイドに取り付ける、該第２右肩ストラップと、
第１左肩ストラップであり、その第１端部で第１連結領域に沿って前記収納部の前記頂部サイドかつ前記左側サイドに連結し、またその第２端部で前記第２左肩ストラップに連結する、該第１左肩ストラップと、
第１右肩ストラップであり、その第１端部で第２連結領域に沿って前記収納部の前記頂部サイドかつ前記右側サイドに連結し、またその第２端部で前記第２右肩ストラップに連結する、該第１右肩ストラップと、
を備え、
前記第１及び第２の連結領域それぞれは、前記バックパックの頂部から底部まで延びて前記バックパックをほぼ垂直に２等分する垂直２等分線からほぼ等距離離れる位置に配置し、また
前記第１及び第２の連結領域は、前記バックパックの前記頂部サイドを横切って延びるほぼ水平な直線とほぼ同一線上にあり、
前記第１の左肩及び右肩ストラップは、前記第１及び第２の連結領域に対して、前記バックパックの前記頂部サイドを横切って延びる前記ほぼ水平な直線に対してほぼ同一角度をなすよう連結し、これにより前記第１の左肩及び右肩ストラップを前記第２の左肩及び右肩ストラップに連結しないで持ち上げるとき、前記第１の左肩及び右肩ストラップが上方にかつ前記利用者の体から離れる方向に延び、また前記利用者の体を通って延びる垂直平面とほぼ平行となるようにし、
前記第１左肩ストラップ、前記第１右肩ストラップ、及び前記バックパックの前記頂部サイドを横切って延びる前記ほぼ水平な直線は、全て半径約５〜１０センチメートルの第１円に正接し、
前記第１円は前記利用者の体を通って延びる前記垂直平面とほぼ平行であり、
前記第１左肩ストラップ及び前記第１右肩ストラップは、各ストラップ長の約１／３〜２／３の間の長さの位置で、ほぼ垂直に２等分する前記垂直２等分線から離れる方向に湾曲し、
その湾曲部分は、半径約７〜１１センチメートルの第２円の円弧の湾曲にほぼ等しく、前記円弧は約３５〜５５°の間の角度にわたる、
人間工学的なバックパック。
【請求項１４】
請求項１３に記載の人間工学的なバックパックにおいて、前記第１円の前記半径は約７．５センチメートルであり、前記第２円の前記半径は約９．５センチメートルである、人間工学的なバックパック。
【請求項１５】
請求項１３に記載の人間工学的なバックパックにおいて、前記第１左肩ストラップ及び前記第１右肩ストラップは、１個又は複数個の材料を使って、相互に、そして前記第１及び第２の連結領域に隣接して前記収納部と連結し、それにより前記１個又は複数個の材料は、前記第１左肩ストラップ及び前記第１右肩ストラップの間に、前記第１円の湾曲とほぼ同一の湾曲を形成する、人間工学的なバックパック。
【請求項１６】
請求項１３に記載の人間工学的なバックパックにおいて、前記第２左肩ストラップ及び前記第２右肩ストラップは、前記収納部に対して、垂線から測って約０〜４５°の間の角度をなすよう取り付ける、人間工学的なバックパック。
【請求項１７】
請求項１３に記載の人間工学的なバックパックにおいて、第２肩ストラップの第１端部は、前記バックパックの前記頂部サイドを横切って延びる前記ほぼ水平な直線から垂直方向に約３５センチメートルという望ましい最小距離において収納部に取り付け、また、
前記収納部の前記底部サイドの限界範囲は、前記バックパックの前記頂部サイドを横切って延びる前記ほぼ水平な直線から垂直方向に約５５センチメートルである、人間工学的なバックパック。
【請求項１８】
請求項１３に記載の人間工学的なバックパックにおいて、前記バックパックの前記頂部サイドを横切って延びるほぼ水平な直線と、前記第１左肩ストラップの前記第２端部の前記中間ポイント及び前記第１右肩ストラップの前記第２端部の前記中間ポイントの双方との前記垂直方向距離は、約２８センチメートルであり、
前記第１左肩ストラップの前記第２端部の前記中間ポイントと、前記第１右肩ストラップの前記第２端部の前記中間ポイントとの間の前記水平方向距離は、約７５センチメートルである、人間工学的なバックパック。
【請求項１９】
人間工学的なバックパックであり、
１個又は複数の物入れを有する収納部であって、前記収納部は、頂部サイド、底部サイド、左側サイド、及び右側サイドを有し、利用者が前記バックパックを着用するとき前記頂部サイドは前記底部サイドよりも利用者の頭に近く、前記底部サイドは前記頂部サイドよりも利用者の脚に近く、前記左側サイドは前記右側サイドよりも利用者の左肩に近く、前記右側サイドは前記左側サイドよりも利用者の右肩に近い、該収納部と、
第２左肩ストラップであり、その第１端部で前記収納部の前記底部サイドかつ前記左側サイドに取り付ける、該第２左肩ストラップと、
第２右肩ストラップであり、その第１端部で前記収納部の前記底部サイドかつ前記右側サイドに取り付ける、該第２右肩ストラップであり、前記第２左肩ストラップ及び前記第２右肩ストラップそれぞれは、前記収納部に対して、垂線から測って約０〜４５°の間の角度をなすよう取り付ける、前記第２右肩ストラップと、
第１左肩ストラップであり、その第１端部で第１連結領域に沿って前記収納部の前記頂部サイドかつ前記左側サイドに連結し、またその第２端部で前記第２左肩ストラップに連結する、該第１左肩ストラップと、
第１右肩ストラップであり、その第１端部で第２連結領域に沿って前記収納部の前記頂部サイドかつ前記右側サイドに連結し、またその第２端部で前記第２右肩ストラップに連結する、該第１右肩ストラップと、
を備え、
前記第１及び第２の連結領域それぞれは、前記バックパックの頂部から底部まで延びて前記バックパックをほぼ垂直に２等分する垂直２等分線からほぼ等距離離れる位置に配置し、また
前記第１及び第２の連結領域は、前記バックパックの前記頂部サイドを横切って延びるほぼ水平な直線とほぼ同一線上にあり、
前記第１の左肩及び右肩ストラップは、前記第１及び第２の連結領域に対して、前記バックパックの前記頂部サイドを横切って延びる前記ほぼ水平な直線に対してほぼ同一角度をなすよう連結し、これにより前記第１の左肩及び右肩ストラップを前記第２の左肩及び右肩ストラップと連結しないで持ち上げるとき、前記第１の左肩及び右肩ストラップが上方にかつ前記利用者の体から離れる方向に延び、また前記利用者の体を通って延びる垂直平面とほぼ平行となるようにし、
前記第１左肩ストラップ、前記第１右肩ストラップ、及び前記バックパックの前記頂部サイドを横切って延びる前記ほぼ水平な直線は、全て半径約１０センチメートルの第１円に正接し、
前記第１円は前記利用者の体を通って延びる前記垂直平面とほぼ平行であり、
前記第１左肩ストラップ及び前記第１右肩ストラップは、各ストラップ長の約１／３〜２／３の間の長さの位置で、ほぼ垂直に２等分する前記垂直２等分線から離れる方向に湾曲し、
その湾曲部分は、半径約９．５センチメートル第２円の円弧の湾曲にほぼ等しく、前記円弧は約３６°の角度にわたる、
人間工学的なバックパック。
【請求項２０】
請求項１９に記載の人間工学的なバックパックにおいて、
前記第２肩ストラップの前記第１端部は、前記バックパックの前記頂部サイドを横切って延びる前記ほぼ水平な直線から垂直方向に約３９センチメートルという望ましい最小距離で前記収納部に取り付け、
前記収納部の前記底部サイドの限界範囲は、前記バックパックの前記頂部サイドを横切って延びる前記ほぼ水平な直線から垂直方向に約５０センチメートルであり、
前記バックパックの前記頂部サイドを横切って延びるほぼ水平な直線と、前記第１左肩ストラップの前記第２端部の前記中間ポイント及び前記第１右肩ストラップの前記第２端部の前記中間ポイントの双方との前記垂直方向距離は、約２８センチメートルであり、また、
前記第１左肩ストラップの前記第２端部の前記中間ポイントと、前記第１右肩ストラップの前記第２端部の前記中間ポイントとの間の前記水平方向距離は、約７５センチメートルである、
人間工学的なバックパック。
【発明の詳細な説明】
【技術分野】
【０００１】
関連出願の相互参照
この出願は、「フィット感を高めた人間工学的なバックパック」と題する、２０１０年９月２４日に出願された、米国非仮特許出願第１２／８９０，３０３号の優先権を主張する。
【背景技術】
【０００２】
バックパック（バッグ、パック、又はリュックサックとしても知られる）は、利用者が荷物を運ぶのを補助するのにしばしば着用される。例えば、いくつかの事例では、利用者は自らの手を使用したいと考え、必要な物は何でも、自分の手に持つよりは背中に背負って運ぶ方を好む。他の事例では、利用者は歩き、走り、自転車に乗り、又はさもなければ長距離を移動しなければならず、手に持つよりもバックパックに入れる方がより容易に物を運べる。バックパックを着用する際の快適性がしばしば重要となる。
【発明の概要】
【発明が解決しようとする課題】
【０００３】
長年にわたり、様々な快適性を高める技術を採り入れてきており、それらの技術にはパッド付きの肩ストラップ、湾曲した肩ストラップ、軽量な材料、腰ストラップ、及び胸骨ストラップがある。これらの技術により、特に極めて重い荷物向けにはバックパックをより快適にしてきたが、従来のバックパックは、依然として利用者に最適な快適さを与えていない。
【０００４】
この概要は、後述する詳細な説明で更に詳述する、精選された構想を簡略化した形で紹介するために提供する。この概要は、特許請求した主題の重要な特徴又は必須の特徴を同定することを意図するものではなく、また特許請求した主題の範囲の決定支援として使用することを意図するものでもない。
【課題を解決するための手段】
【０００５】
本発明はフィット感を高めた人間工学的なバックパックに関する。このバックパックは、１又は複数の物入れを有する収納部を有し、その収納部は、頂部サイド、底部サイド、左側サイド、及び右側サイドを有し、これにより利用者がバックパックを着用するとき、頂部サイドは底部サイドよりも利用者の頭により近く、底部サイドは頂部サイドよりも利用者の脚により近く、左側サイドは右側サイドよりも利用者の左肩により近く、また右側サイドは左側サイドよりも利用者の右肩により近い。第２左肩ストラップは、その第１端部において収納部の底部サイドかつ左側サイドに取り付け、第２右肩ストラップは、その第１端部において収納部の底部サイドかつ右側サイドに連結する。第１左肩ストラップは、その第１端部において第１連結領域に沿って収納部の頂部サイドかつ左側サイドに連結し、第２端部において第２左肩ストラップに連結する。第１右肩ストラップは、その第１端部において第２連結領域に沿って収納部の頂部サイドかつ右側サイドに連結し、第２端部において第２右肩ストラップに連結する。
【０００６】
第１、及び第２の連結領域それぞれは、バックパックを通って頂部から底部まで延びて、バックパックをほぼ垂直に２等分する垂直２等分線からの距離がほぼ等しい位置に配置する。第１、及び第２の連結領域は、バックパックの頂部サイドを横切って延びるほぼ水平な直線とほぼ同一線上にある。第１の左肩及び右肩ストラップは、第１及び第２の連結領域に対して、バックパックの頂部サイドを横切って延びるほぼ水平な直線に対してほぼ同一角度をなすよう連結する。
【０００７】
第１の左肩及び右肩ストラップを第２の左肩及び右肩ストラップに連結しないで持ち上げるとき、第１の左肩及び右肩ストラップが上方にかつ利用者の体から離れる方向に延びるようにし、利用者の体を通って延びる垂直平面とほぼ平行であるとき、第１左肩ストラップ、第１右肩ストラップ、及びバックパックの頂部サイドを横切って延びるほぼ水平な線は、全て半径約５〜１２センチメートルの第１円に正接し、この第１円は利用者の体を通って延びる垂直平面とほぼ平行である。第１ストラップをこのようにして垂直方向に持ち上げ、第１左肩ストラップ及び第１右肩ストラップが、各ストラップ長の約１／３〜２／３の間の長さの位置で、バックパックをほぼ垂直に２等分する垂直２等分線から離れる方向に湾曲し、その湾曲部分は、半径約７〜１１センチメートルの第２円の約２５°〜５５°にわたる円弧の湾曲とほぼ同一である。
【０００８】
本発明を、添付図面につき以下に詳細に説明する。
【図面の簡単な説明】
【０００９】
【図１】フィット感を高めた人間工学的なバックパックの斜視図である。
【図２】利用者が着用している、フィット感を高めた人間工学的なバックパックの斜視図である。
【図３】利用者が着用している、フィット感を高めた人間工学的なバックパックの斜視図であり、左右の肩用の第１肩ストラップを左右の肩用の第２肩ストラップに連結せず、ほぼ垂直方向に持ち上げた状態を示す。
【図４】図３に示したフィット感を高めた人間工学的なバックパックの第１肩ストラップをほぼ垂直方向に持ち上げ、利用者の背中に当接するバックパックの部分に対面する方向から見た平面図である。
【図５】図４に示した人間工学的なバックパックの収納部分に対する、右の第２肩ストラップ取り付け領域の部分平面図である。
【図６】フィット感を高めた人間工学的なバックパックの第１肩ストラップをほぼ垂直方向に持ち上げ、利用者の背中に当接するバックパックの部分に対面する方向から見た平面図であり、そのバックパックが、第１肩ストラップ相互間にヨーク連結を有する状況を示す。
【図７】フィット感を高めた女性向けの人間工学的なバックパックの第１肩ストラップをほぼ垂直方向に持ち上げ、利用者の背中に当接するバックパックの部分に対面する方向から見た平面図である。
【図８】フィット感を高めた女性向けの人間工学的なバックパックの第１の肩ストラップをほぼ垂直方向に持ち上げ、利用者の背中に当接するバックパックの部分に対面する方向から見た平面図であり、そのバックパックは、第１肩ストラップ相互間にヨーク連結を有する状況を示す。
【発明を実施するための形態】
【００１０】
従来のバックパックにおいて、たとえ快適さを高める特徴をバックパックに組み込んでいても快適さは最適化されていない。本明細書に記載したフィット感を高めた人間工学的なバックパックの、新規な構成、配置決め、及び寸法の特徴は、利用者に最適なフィット感及び快適さをもたらす。図１〜図６は、男女両用バックパックとして設計した本発明の実施例を示す。図７〜図８は特に女性用に設計した本発明の実施例を示す。
【００１１】
図１は、フィット感を高めた人間工学的なバックパック１００を示す。バックパック１００は、荷を収納可能な１個又は複数の物入れを含む収納部１０２有する。収納部１０２は、頂部サイド１０４、底部サイド１０６、左側サイド１０８、右側サイド１１０を有する。利用者（図２〜図３に示す）がバックパック１００を着用するとき、頂部サイド１０４は底部サイド１０６よりも利用者の頭により近く、底部サイド１０６は頂部サイド１０４よりも利用者の脚により近く、左側サイド１０８は右側サイド１１０よりも利用者の左肩により近く、また右側サイド１１０は左側サイド１０８よりも利用者の右肩により近い。
【００１２】
収納部１０２は、第１左肩ストラップ１１４の第１端部１１２に対して、第１連結領域１１６に沿って連結する。第１連結領域１１６は収納部１０２の頂部サイドであって左側サイドに位置する。収納部１０２はまた、第２連結領域（図示せず）に沿って、第１右肩ストラップ１１８の第１端部（図示せず）に連結する。第２連結領域は収納部１０２の頂部サイドであって右側サイドに位置する。第２左肩ストラップ１２０は、第１端部１２２において、収納部１０２の底部サイドであって左側サイドに取り付ける。第２左肩ストラップ１２０はまた、第１左肩ストラップ１１４の第２端部１２４に連結する。同様に、第２右肩ストラップ１２６は、第１端部１２８において、収納部１０２の底部サイドであって右側サイドに取り付ける。第２右肩ストラップ１２６はまた、第１右肩ストラップ１１８の第２端部１３０に連結する。図１は、第１左肩ストラップ１１４及び第１右肩ストラップ１１８を、それらに対応する第２肩ストラップに連結するバックル１３２及び１３４を示す。任意の数の連結デバイス又は技術を使用して、これらの連結を容易にする。いくつかの実施例では、それらの連結部は、着脱可能及び／又は調整可能とする。
【００１３】
図２は、利用者２００が、フィット感を高めた人間工学的なバックパック１００を着用した状態を示す。第１左肩ストラップ１１４は利用者の左肩２０２に着用し、第１右肩ストラップ１１８は利用者の右肩２０４に着用する。
【００１４】
本発明の新規な特徴のいくつかをより良く説明するため、図３〜図８は、第１及び第２の肩ストラップを連結せずに第１肩ストラップを持ち上げ、これにより、それらが上方にそしてバックパックを着用している利用者の体から離れる方向に延びている、フィット感を高めた人間工学的なバックパックの実施例を示す。上述のように、いくつかの実施例において、第１、及び第２の肩ストラップは着脱可能とすることができる。図３〜図８は、第１及び第２の肩ストラップが着脱可能ではない実施例を示すことを意図しているが、説明上第１及び第２の肩ストラップが連結していない状態を示す。
【００１５】
図３は、人間工学的なバックパック１００を着用している利用者３００を示す。破線は、利用者３００の体を貫通する垂直平面３０２を表す。第１右肩ストラップ１１８及び第１左肩ストラップ１１４（図示せず）を持ち上げ、これにより第１右肩ストラップ１１８及び第１左肩ストラップ１１４が利用者３００の体から上方に延び、垂直平面３０２とほぼ平行となっている。図４〜図８に明示するように、第１肩ストラップがこの位置にあるとき、第１右肩ストラップ１１８及び第１左肩ストラップ１１４はまた、バックパック１００の中心から離れる方向に延在する。
【００１６】
図３は、説明を意図する目的である。もし利用者３００が第１肩ストラップを、図示のようにほぼ垂直な位置に持ち上げた状態でバックパック１００を着用しようとする場合、重力によりバックパック１００は利用者３００から脱落することは理解されたい。図３は、後続の図においてバックパック１００の新規な特徴をより完全に詳述する上での基準の枠組みをなす。
【００１７】
図４は、利用者の背中に当接するバックパック１００の表面を見る方向からの、バックパック１００の平面図である。第１肩ストラップ１１４及び１１８は、図３に示すように、ほぼ垂直な位置まで持ち上げる。第２肩ストラップ１２０及び１２６もまた示し、またバックパック１００の新規な特徴の説明を紛らわしくしないよう、収納部１０２は破線で示す。
【００１８】
図１につき説明したように、第１左肩ストラップ１１４の第１端部１１２は、第１連結領域１１６に沿って収納部１０２に連結する。第１右肩ストラップ１１８の第１端部４０２は、第２連結領域４０４に沿って収納部１０２に連結する。第１連結領域１１６及び第２連結領域４０４はそれぞれ、バックパック１００を貫通して頂部サイド１０４から底部サイド１０６まで延在する、ほぼ垂直な２等分線４０６から等距離離れて位置する。第１連結領域１１６、及び第２連結領域４０４は、バックパック１００の頂部サイド１０４を横切って延在するほぼ水平な直線４０８とほぼ同一線上にある。第１左肩ストラップ１１４は第１連結領域１１６に対して、また第１右肩ストラップ１１８は第２連結領域４０４に対して、それぞれほぼ水平な直線４０８に関してほぼ同一角度となるよう連結する。
【００１９】
いくつかの実施例において、第１肩ストラップ１１４及び１１８を構成する材料は、連結領域１１６及び４０４を越え、収納部１０２の表面に沿って延在させ、また図４に破線で示すほぼ垂直な２等分線４０６の辺りで合流させる。他の実施例において、第１肩ストラップ１１４及び１１８は、連結領域１１６及び４０４で終端させる、又は収納部１０２に沿って異なる長さ及び／又は幾何学的構成配置（ジオメトリ）となるよう延在させる。
【００２０】
第１左肩ストラップ１１４、第１右肩ストラップ１１８、及びほぼ水平な直線４０８は、全て、半径４１２が約８〜１２センチメートルの範囲にある第１円４１０に正接する。第１円４１０は図３に示した垂直平面３０２とほぼ平行である。ある実施例において、半径４１２は約１０センチメートルとする。
【００２１】
第１左肩ストラップ１１４及び第１右肩ストラップ１１８は、各肩ストラップ長の約１／３〜２／３の間における長さ位置で、ほぼ垂直な２等分線４０６から離れる方向に湾曲し、この湾曲は、約７〜１１センチメートルの間における半径４１８を有する第２円４１６の円弧４１４とほぼ同一長さとする。円弧４１４は約２５〜４５°の間における角度にわたる。ある実施例において、半径４１８は約９．５センチメートルとする。他の実施例において、円弧４１４は約３６°の角度にわたる。本明細書で使用する、円弧の角度数値計測は、側辺を円周と交差するまで延ばしたときのラインがなす角度によって定義する。例えば、３６°の角度の辺を円の中心から円周まで延ばすとき、延ばした辺間の円周部分は３６°円弧となる。図４は、同じ湾曲長さを有する第１肩ストラップ１１４及び１１８を示す。他の実施例において、湾曲は個人の体型により僅かに変えることができる。
【００２２】
第１肩ストラップ１１４及び１１８は幅が変化しても良い。望ましい幅の範囲を図４に示し、白色領域が各ストラップに望まれる最小の幅を表し、グレー色領域が最適な快適さにとって望まれる最大限界範囲を表す。図示したように、各ストラップの幅は、約２〜１２センチメートルの範囲内で変化しても良い。しかし、以下のいくつかの実施例で記載するように、幅がより大きく、及び／又はより小さく変化することは、本発明の範囲から離れるものではない。ある実施例において、収納部１０２にストラップを取り付ける領域での、各ストラップに望まれる最小幅は約３センチメートルであり、望まれる最大幅は約８センチメートルである。他の実施例において、第１肩ストラップを第２肩ストラップに連結する第１肩ストラップの第２端部において、各ストラップに望まれる最小幅は約１センチメートルであり、望まれる最大幅は約５センチメートルである。更なる実施例において、ストラップを収納部１０２に取り付ける領域での、各ストラップに望まれる最小幅は約４．１２５（４と１／８）センチメートルであり、望まれる最大幅は約４．７５（４と３／４）センチメートルである。また、更に別の実施例において、第１肩ストラップが第２肩ストラップと連結する、第１肩ストラップの第２端部において、各ストラップに望まれる最小幅は約１．３７５（１と３／８）センチメートルであり、望まれる最大幅は約３．５（３と１／２）センチメートルである。
【００２３】
選択される特定のストラップ幅は、バックパック１００のデザイン対象とする活動、予想される利用者のサイズ、機動性要件、バックパックの下に着用が予想される衣服、その他考慮すべきこと、に基づいて変えることができる。図４に示すように、望まれる最小ストラップ幅は、最も広い連結領域１１６及び４０４から、第１肩ストラップ１１４及び１１８が第２肩ストラップ１２０及び１２６と連結する最も狭い箇所まで先細になる。
【００２４】
図に示していないが、バックパック１００に胸骨ストラップ、及び／又は腰ストラップを設けることができる。胸骨ストラップを設ける実施例において、おおよそ第１肩ストラップ１１４及び１１８が、第１肩ストラップ１１４及び１１８の第２端部１２４及び１３０に向けて曲がり始める箇所に胸骨ストラップを取り付けることができる。
【００２５】
収納部１０２の底部サイド１０６の望ましい最大の限界範囲４２０は、ほぼ水平な直線４０８から垂直方向に約５５センチメートルである。ある実施例において、望ましい最大の限界範囲４２０は、約５０センチメートルである。第２肩ストラップ１２０及び１２６の第１端部１２２及び１２８は、ほぼ水平な直線４０８から約３５センチメートルという望ましい垂直方向最小距離４２２で収納部１０２に取り付ける。ある実施例において、望ましい垂直方向最小距離４２２は約３９センチメートルである。他の実施例において、望ましい垂直方向最小距離４２２は約３８．８センチメートルである。約３８．８センチメートルは、約３９センチメートルと見なされると理解されたい。
【００２６】
ほぼ水平な直線４０８と、第１左肩ストラップ１１４の第２端部１２４の中間ポイント及び第１右肩ストラップ１１８の第２端部１３０の中間ポイントの双方との垂直方向距離４２４は、約２０〜３５センチメートルの間である。ある実施例においては、垂直方向距離４２４は、約２８センチメートルとする。
【００２７】
第１左肩ストラップ１１４の第２端部１２４の中間ポイントと、第１右肩ストラップ１１８の第２端部１３０の中間ポイントとの間における水平方向距離４２６は、約６５〜８５センチメートルの間である。ある実施例においては、水平方向距離４２６は７５センチメートルとする。
【００２８】
第２右肩ストラップ１２６の収納部１０２への取り付けを図５に詳細に示す。図５は第２右肩ストラップ１２６の第１端部１２８の収納部１０２に対する取り付けを示す。破線５０２及び５０４は、第１端部１２８の望ましい取り付け角度範囲を示す。つまり、第１端部１２８が第２右肩ストラップ１２６の側辺と直交して矩形を呈するとき、連結のための望ましい最大角度は、第１端部１２８を破線５０２と平行にすることである。いくつかの実施例において、破線５０２は、垂線から左方（下方）に測って約４５°の角度である。他の実施例において、破線５０２は、垂線から左方に測って約２２°の角度である。破線５０４はほぼ垂直であり、第１端部１２８の取り付けに望ましい限界範囲を示す。従って、例えば破線５０２が垂線から左方に測って約２２°の角度をなす実施例において、第２右肩ストラップ１２６は、収納部１０２に、垂線から左方に測って約０〜２２°の間の角度で取り付ける。
【００２９】
図５は、破線５０２及び５０４によって表された角度間における角度で取り付けられた第１端部１２８を示していると理解すべきである。実線５０６及び５０８は、破線５０２及び５０４と共に、第１端部１２８を取り付けるのに望ましい収納部１０２のおおよその領域を示す。上述のように、図４の望ましい垂直方向最小距離４２２は、図４のほぼ水平な直線４０８と、収納部１０２に取り付けたときの第１端部１２８の中間ポイントとの望ましい垂直方向最小距離である。いくつかの実施例において、図５に示す取り付け部の鏡像が第２左肩ストラップ１２０である。
【００３０】
図６は、ヨークストラップ構造を有する、フィット感を高めた人間工学的なバックパック６００を示す。バックパック６００は、図１〜図５のバックパック１００とほぼ類似するが、第１肩ストラップと収納部との連結のみが異なる。第１左肩ストラップ６１４は、第１連結領域６２０に沿って収納部６０２に取り付け、第１右肩ストラップ６１８は、第２連結領域６２２に沿って収納部６０２と連結する。図４において、第１ストラップがほぼ水平な直線と共に円と正接する状況を示した。
【００３１】
図６に示す実施例において、第１肩ストラップ６１４及び６１８に沿って最初に円６２４に接するポイント相互間の領域に、ヨーク連結を形成する材料を装填する。第１左肩ストラップ６１４及び第１右肩ストラップ６１８は、１個又は複数個の材料を使って、相互に、そして第１及び第２の連結領域６２０及び６２２に隣接して収納部６０２と連結し、それにより１個又は複数個の材料は、第１左肩ストラップ６１４及び第１右肩ストラップ６１８の間に、円６２４の湾曲とほぼ同一の湾曲を形成する。
【００３２】
図１〜６に示すバックパックのように、多くのバックパックは、「男女両用（ユニセックス）」に設計され、男性及び女性のどちらにも適合する。女性は更に、しばしば女性の体型に特化して設計したバックパックをより好む。図７及び図８は、図４及び図６に示すバックパックと類似するが女性向けに特化して設計した、フィット感を高めた人間工学的なバックパックを示す。
【００３３】
図７は、フィット感を高めた人間工学的なバックパック７００を示す。図１〜図６のバックパック１００と同様に、バックパック７００は、第１左肩ストラップ７０２、第１右肩ストラップ７０４、収納部７０６、及び第２肩ストラップ７０８及び７１０を有する。図４の円４１０とは対照的に、第１左肩ストラップ７０２、第１右肩ストラップ７０４、及びほぼ水平な直線７１４に接する円７１２は、より小さな約５〜１０センチメートルの間における半径７１６を有する。ある実施例において、半径７１６は約７．５センチメートルである。
【００３４】
ほぼ水平な直線７１４と、第１左肩ストラップ７０２の第２端部７２０の中間ポイント及び第１右肩ストラップ７０４の第２端部７２２の中間ポイント双方との垂直方向距離７１８は、約２０〜３５センチメートルの間である。ある実施例において、垂直方向距離７１８は、約２８センチメートルである。他の実施例において、垂直方向距離７１８は、約２７．３センチメートルである。
【００３５】
第１左肩ストラップ７０２の第２端部７２０の中間ポイントと、第１右肩ストラップ７０４の第２端部７２２の中間ポイントとの間の水平方向距離７２４は、約６５〜８５センチメートルの間である。ある実施例において、水平方向距離７２４は、約７５センチメートルである。他の実施例において、水平方向距離７２４は、約７５．１センチメートルである。
【００３６】
バックパック７００はまた、円７２６で表す第１肩ストラップ７０２及び７０４の曲率の大きさにおいても、バックパック１００とは異なる。円７２６の円弧７２８は約３５〜５５°の間の角度をなす。ある実施例において、円弧７２８は約４５°の角度をなす。半径７３０は約７〜１１センチメートルである。ある実施例において、半径７３０は約９．５セントメートルである。平均的な女性のサイズが平均的な男性よりも小さいため、ほぼ水平な直線７１４に対する収納部７０６の最大の限界範囲等の他の寸法は、バックパック１００と同じ、又は小さ目にすることができる。
【００３７】
図８は、第１左肩ストラップ８０２、第１右肩ストラップ８０４、及び収納部８０６の間にヨーク連結を有する、請求項６に関連して詳述したものと類似した、フィット感を高めた人間工学的なバックパック８００を示す。
【００３８】
本発明は、特定の実施例と関連付けて説明してきたが、それらは全ての点において、例示することを意図しており、限定することを意図していない。代替的な実施例は、通常の当業者に明らかであり、これらも本発明の範囲から逸脱することなく本発明に関連する。
【００３９】
上述の内容から分かるように、本発明は、システムや方法にとって明白で固有の他の利点と共に、上述の目的及び目標を達成するために適切に採用される。特定の特徴及び部分的組み合わせが、他の特徴及び部分的組み合わせを参照することなく、有用性があり使用可能であることは理解されるであろう。これは、特許請求の範囲によって考慮すべきであり、特許請求の範囲内である。
【図１】
2013540506.tif 000003
【図２】
2013540506.tif 000004
【図３】
2013540506.tif 000005
【図４】
2013540506.tif 000006
【図５】
2013540506.tif 000007
【図６】
2013540506.tif 000008
【図７】
2013540506.tif 000009
【図８】
2013540506.tif 000010
【国際調査報告】
2013540506.tif 000011